(57)【特許請求の範囲】
【請求項１】
ペットボトルのキャップの縦方向に刻まれた滑り止めの溝に沿うように縦方向に刻みを入れた２枚のゴムシートをソフトタッチのゴムリングの内側に取り付けたペットボトルキャップ開閉リングをキャップに取り付けるとゴムシートが半割り状態になり、ゴムシートの剛性とゴムリングの収縮力でゴムシートの内側の刻みがキャップの溝にくい込み、回転方向には半固定状態になり握ると固定状態になる仕組みを利用したこと特徴とするペットボトルキャップ開閉リング。
【請求項２】
請求項１の仕組みを利用することによりペットボトルのキャップの開閉毎に開閉用具の取り付け、取り外しを必要としないことを特徴とするペットボトルキャップ開閉リング。
【請求項３】
請求項１の構造を利用することにより、使用時以外は円筒形ではなく、携帯しやすい長方体の形状に折りたたみ可能なことを特徴とするペットボトルキャップ開閉リング。
【請求項４】
請求項１の構造からペットボトルメーカーによって直径に多少の差があっても、取り付け時にゴムシートが半割れ状態になるため、取り付け、取り外しが楽になることを特徴としたペットボトルキャップ開閉リング。
【請求項５】
請求項１の構造からソフトタッチのゴムリングＡ、ソフトタッチのゴムリングＢを使用することにより、色の組み合わせ、模様の組み合わせ等により数本のペットボトル飲料が保管場所を同一にする数人の誰のものか識別可能になることを特徴とするペットボトル開閉リング。
【発明の詳細な説明】
【技術分野】
【０００１】
本発明はペットボトルのキャップの開閉をより容易に行なう用具に関するものである。
【背景技術】
【０００２】
キャップの開閉用具としては多数の発明、考案がされているが請求項１、２、３、４、５、６で課題が残され、現実には使用しにくく、ニーズが多数あるにもかかわらずほとんど見かけることがない。
【特許文献１】特開２００４−１５５４６１
【特許文献２】特開２００６−３０６４５６
【特許文献３】特開２００６−２７３３６５
【発明の開示】
【発明が解決しようとする課題】
【０００３】
以前のものは次のような欠点があった。開閉毎に用具を取り外さなければならない、又キャップのサイズが少し異なっても使用しにくくなる、価格高い等の課題が残っていた。
【課題を解決するための手段】
【０００４】
ペットボトルのキャップの開閉を容易に行う為に設けられている溝に、ペットボトルキャップ開閉リングの内側の縦方向に刻んだ溝をつけたゴムシートが半割れ状態になるように外周にソフトタッチのゴムリングを設けペットボトルキャップ開閉リングの直径を大きくすることにより、容易にキャップの開閉ができるようにし、更にペットボトル開閉リングを取り付けたまま、開閉後もペットボトルの中身が無くなるまで使用できる事を特徴とするペットボトル開閉リングとした。
【発明の効果】
【０００５】
本発明のペットボトル開閉リングを使用することにより高齢者で握力が落ちた人や障害者、年少者が人手を借りず一人でキャップの開閉を行う事が可能となる、更に一々開閉用具の取り付け、取り外しの必要はなくなり、使用後は長方体になり、コンパクトで軽いため、常時、携帯できる等の効果がある。又ソフトタッチのゴムリングの色の違いや組み合わせで、数人のボトルをまとめて保管している場合に誰のものか識別可能になる等の効果がある。
【発明を実施するための最良の形態】
【０００６】
次に本発明の実施形態を図１〜図６に基づいて説明する。
【０００７】
図１は実施例のペットボトル開閉リング１をペットボトルのキャップ２に取り付け、取り外し９の状態を示す。
【０００８】
図２は実施例のペットボトル開閉リング１をペットボトルのキャップ２に取り付けた状態を示す。
【０００９】
図３は実施例のペットボトル開閉リング１をキャップ２に取り付けた状態でペットボトル３に設けられた開閉ネジ４を利用し、取り付け、取り外しを行なう為にキャップ２を回転５させている状態を示す。
【００１０】
図４は図３の状態から、ペットボトル開閉リング１をキャップ２に取り付けた状態でペットボトル３から取り付け、取り外し８を行なっている状態を示す。
【００１１】
図５はペットボトル開閉リング１の斜視図で取り付け状態の円筒形にした時の溝入りゴムシートＡ１a と溝入りゴムシートＢ１b を半割り状態でソフトタッチのゴムリングＡ１c と色の違うソフトタッチのゴムリングＢ１d の内側に取り付けた状態を示す。 
【００１２】
図６は使用後に、図５の円筒形のペットボトル開閉リング１を指で矢印６、矢印７の方向につまみコンパクトな長方体にしている状態を示す。
【産業上の利用可能性】
【００１３】
高齢者で握力が落ちた人や障害者、年少者が人手を借りず一人でキャップの開閉を行う事が可能となる、更に一々開閉用具の取り付け、取り外しの必要はなくなり、使用後は長方体になり、コンパクトで軽いため、常時、携帯でき、ペットボトル飲料の便利用具として使用できる。また家族等でペットボトル飲料を冷蔵庫に保管中にソフトタッチのゴムリングＡ、Ｂの色の組み合わせ等の違いで誰のものか識別可能になる。
【図面の簡単な説明】
【００１４】
【図１】本発明の実施例のペットボトル開閉リングのキャップへの着脱状態を示す図である。
【図２】本発明の実施例のペットボトル開閉リングをキャップへ装着した状態を示す図である。
【図３】本発明の実施例のペットボトル開閉リングをキャップへ装着し開閉をしている状態を示す図である。
【図４】本発明の実施例のペットボトル開閉リングをキャップから取り付け、取り外しをしている状態を示す図である。
【図５】本発明の実施例のペットボトル開閉リングの構造を示す斜視図である。
【図６】本発明の実施例のペットボトル開閉リングを使用時の円筒形から携帯時の長方体に変化させている状態を示す図である。
【符号の説明】
【００１５】
１      キャップ開閉アダプター  
１a     溝入りゴムシートＡ
１b     溝入りゴムシートＢ
１c     ソフトタッチのゴムリングＡ
１d     ソフトタッチのゴムリングＢ  
２      キャップ
３      ペットボトル
４      ペットボトルキャップ開閉用ネジ
５      キャップ開閉方向
６      折りたたみ方向
７      折りたたみ方向
８      キャップの取り付け取り外し方向
９      キャップ開閉アダプター取付け取り外し方向
【要約】
【課題】  ペットボトルのキャップ２の開閉を行うとしても、高齢者や、障害者、年少者等や、未発達の人達の握力が弱く、自分で開閉が行なえない人々でも自分で開閉が行えるようにする、また現在同様の用具があるが様々な面で使いにくさが残っている部分の課題を解決する必要がある。
【解決手段】  ペットボトルのキャップ２の開閉を容易に行う為に設けられている溝の方向に、ペットボトルキャップ開閉リング１を取り付け内側の縦方向に刻んだ溝に食い込み、取り付けた時にゴムシートＡ、Ｂが半割れ状態になるように、その外周にソフトタッチのゴムリングＡ，Ｂを設けペットボトルキャップ開閉リング１の直径を大きくすることにより、容易にキャップの開閉ができるようにし更にペットボトル開閉リング１を取り付けたまま、開閉後もペットボトルの中身が無くなるまで使用できる事を特徴とするペットボトル開閉リング１とした。
【選択図】  図３【図１】
0004183144.tif 000002
【図２】
0004183144.tif 000003
【図３】
0004183144.tif 000004
【図４】
0004183144.tif 000005
【図５】
0004183144.tif 000006
【図６】
0004183144.tif 000007